(57)【要約】【課題】一般電気器具の給電用の配線器具である従来のコンセント装置では、差込プラグとコンセント本体間の隙間に露出している複数の導体片と、それらの間に室内の塵埃が次第に蓄積されていき、それが湿気を帯びると、導体片間がショート状態となり、いわゆるトラッキング現象が発生して、火災を引き起こす等の不都合が生じる。【解決手段】そこで本発明では、プラグ本体２の一側に円筒状外部導体３を突設すると共に、円筒状外部導体の内側空間内に内部導体４を突設した差込プラグ１と、円筒状外部導体を嵌合する環状嵌合溝７と内部導体を嵌合する嵌合穴８を形成し、環状嵌合溝と嵌合穴に沿って電極導体９、１０を設けたコンセント本体６とから構成したトラッキング防止コンセント装置を提案する。【選択図】　　　図１
2004022376.tif 000002
【特許請求の範囲】
【請求項１】
プラグ本体の一側に円筒状外部導体を突設すると共に、円筒状外部導体の内側空間内に内部導体を突設した差込プラグと、円筒状外部導体を嵌合する環状嵌合溝と内部導体を嵌合する嵌合穴を形成し、環状嵌合溝と嵌合穴に沿って電極導体を設けたコンセント本体とから構成したことを特徴とするトラッキング防止コンセント装置
【請求項２】
コンセント本体には、複数の差込プラグに対応する複数組の環状嵌合溝と嵌合穴を形成したことを特徴とする請求項１に記載のトラッキング防止コンセント装置
【請求項３】
差込プラグの円筒状外部導体の内側空間内に、内部導体を複数突設したことを特徴とする請求項１又は２に記載のトラッキング防止コンセント装置
【発明の詳細な説明】
【０００１】
【発明の属する技術分野】
本発明はトラッキング防止コンセント装置に関するものである。
【０００２】
【従来の技術】
一般電気器具の給電用の配線器具であるコンセント装置は、プラグ本体の一側に極数分の導体片を突設した差込プラグと、夫々の導体片を嵌合して接続するための嵌合溝を設け、嵌合溝内に導体片と摩擦接触させる電極導体を設けたコンセント本体とから構成される。
【０００３】
差込プラグの導体片をコンセント本体の嵌合溝内に嵌合して接続状態とすると、差込プラグは、導体片と電極導体との接触摩擦力により保持されるのであるが、最も良好に嵌合された場合においても、プラグ本体とコンセント本体間には僅かではあるが隙間が残り、その隙間に導体片が露出することになる。
【０００４】
【発明が解決しようとする課題】
導体片と電極導体との接触摩擦力が小さくなって、嵌合状態がゆるくなると、プラグ本体とコンセント本体間の隙間は次第に大きくなり、その隙間に導体片が露出することになる。
【０００５】
このような状態では、室内の塵埃が次第に隙間に露出している複数の導体片に蓄積されていき、蓄積された塵埃が湿気を帯びると、導体片間の絶縁が塵埃により崩壊してショート状態となり、いわゆるトラッキング現象が発生して、火災を引き起こす等の不都合が生じる。
本発明はこのような課題を解決することを目的とするものである。
【０００６】
【課題を解決するための手段】
上述した課題を解決するために本発明では、プラグ本体の一側に円筒状外部導体を突設すると共に、円筒状外部導体の内側空間内に内部導体を突設した差込プラグと、円筒状外部導体を嵌合する環状嵌合溝と内部導体を嵌合する嵌合穴を形成し、環状嵌合溝と嵌合穴に沿って電極導体を設けたコンセント本体とから構成したトラッキング防止コンセント装置を提案する。
【０００７】
そして本発明では、上記構成において、コンセント本体には、複数の差込プラグに対応する複数組の環状嵌合溝と嵌合穴を形成することを提案する。
【０００８】
また本発明では、以上の構成において、差込プラグの円筒状外部導体の内側空間内に、内部導体を複数突設することを提案する。
【０００９】
以上の本発明において、差込プラグをコンセント本体に接続した状態において、プラグ本体とコンセント本体間に隙間が生じても、隙間に露出している部分は円筒状外部導体の外側面のみであるので、そこに室内の塵埃が蓄積されて、それが湿気を帯びたとしても、そこには全く電流が流れず、トラッキング現象が発生することがない。
【００１０】
【発明の実施の形態】
次に本発明の実施の形態を図を参照して説明する。
図１〜図３は本発明に係るコンセント装置の第１の実施の形態を示すもので、図１は差込プラグをコンセント本体に接続していない状態を示す断面説明図、図２は接続状態の断面説明図、図３は差込プラグの外観説明図である。
【００１１】
図において符号１は差込プラグを示すもので、この差込プラグ１は、プラグ本体２の一側に円筒状外部導体３を突設すると共に、円筒状外部導体３の内側空間内に内部導体４を突設した構成である。そして円筒状外部導体３と内部導体４には電線５ａ、５ｂが接続されており、この実施の形態では、円筒状外部導体３に対応する電線５ａは接地側に接続されている。尚、内部導体４の形状は、ピン形状、薄板形状等適宜である。
【００１２】
一方、図において符号６はコンセント本体を示すもので、このコンセント本体６には、上記差込プラグ１の円筒状外部導体３を嵌合する環状嵌合溝７と、上記内部導体４を嵌合する嵌合穴８を形成し、環状嵌合溝７と嵌合穴８に沿って夫々電極導体９、１０を設けている。そしてこれらの電極導体９、１０には電線１１ａ、１１ｂが接続されており、環状嵌合溝７の電極導体９に対応する電線１１ａは接地側に接続されている。
【００１３】
以上の構成において、差込プラグ１の円筒状外部導体３をコンセント本体６の環状嵌合溝７に合わせて嵌合すると、内部導体４も嵌合穴８に嵌合して、円筒状外部導体３が電極導体９に摩擦接触すると共に、内部導体４が電極導体１０に摩擦接触して接続状態となり、通電が可能となる。
【００１４】
尚、円筒状外部導体３と電極導体９及び内部導体４と電極導体１０とが上記嵌合により摩擦接触するようにするために、例えば電極導体９、１０を弾性変形可能に設置する等の適宜の手段を講じることができる。
【００１５】
以上の接続状態において、図２に示されるように、プラグ本体２とコンセント本体６間に隙間１２が生じても、隙間１２に露出している部分は円筒状外部導体３の外側面のみであるので、そこに室内の塵埃１３が蓄積されて、それが湿気を帯びたとしても、そこには全く電流が流れず、トラッキング現象が発生することがない。
【００１６】
尚、図１、図２においては、コンセント本体６には、１組の環状嵌合溝７と嵌合穴８のみが示されているが、これらの環状嵌合溝７と嵌合穴８は１つのコンセント本体６当り複数組形成することもできる。
【００１７】
次に図４は本発明に係るコンセント装置の第２の実施の形態を示すもので、差込プラグをコンセント本体に接続していない状態を示す断面説明図である。
この第２の実施の形態は、差込プラグ１の円筒状外部導体３の内側空間内に、内部導体４を複数、この場合２つの内部導体４ａ、４ｂを突設して、それらの内部導体４ａ、４ｂと円筒状外部導体３に電線５ａ、５ｂ、５ｃを接続すると共に、これらの２つの内部導体４ａ、４ｂに対応してコンセント本体６に２つの嵌合穴８ａ、８ｂ、そしてそれらに電極導体１０ａ、１０ｂを設け、これらの電極導体１０ａ、１０ｂと環状嵌合溝７に設けた電極導体１０ｃに夫々電線１１ａ、１１ｂ、１１ｃを設けた構成である。そして、この場合、電線５ｃ、１１ｃは接地側に接続されている。尚、それ以外の構成は第１の実施の形態と同様であるので、同様な構成要素には同一の符号を付して重複する説明は省略する。
【００１８】
この第２の実施の形態においても、接続状態においてプラグ本体２とコンセント本体６間に隙間生じても、隙間に露出している部分は円筒状外部導体３の外側面のみであるので、そこに室内の塵埃１３が蓄積されて、それが湿気を帯びたとしても、そこには全く電流が流れず、トラッキング現象が発生することがない。
【００１９】
【発明の効果】
本発明は以上のとおり、差込プラグをコンセント本体に接続した状態において、プラグ本体とコンセント本体間に隙間が生じても、隙間に露出している部分は円筒状外部導体の外側面のみであるので、そこに室内の塵埃が蓄積されて、それが湿気を帯びたとしても、そこには全く電流が流れず、トラッキング現象が発生することがないので、トラッキング現象に起因する火災の発生を防止することができるという効果がある。
【図面の簡単な説明】
【図１】本発明に係るコンセント装置の第１の実施の形態を、差込プラグをコンセント本体に接続していない状態において示す断面説明図である。
【図２】本発明に係るコンセント装置の第１の実施の形態を、差込プラグをコンセント本体に接続した状態において示す断面説明図である。
【図３】図１の差込プラグの外観説明図である。
【図４】本発明に係るコンセント装置の第１の実施の形態を、差込プラグをコンセント本体に接続していない状態において示す断面説明図である。
【符号の説明】
１　　　　　　　　　　　　　差込プラグ
２　　　　　　　　　　　　　プラグ本体
３　　　　　　　　　　　　　円筒状外部導体
４、４ａ、４ｂ　　　　　　　内部導体
５ａ、５ｂ　　　　　　　　　電線
６　　　　　　　　　　　　　コンセント本体
７　　　　　　　　　　　　　環状嵌合溝
８、８ａ、８ｂ　　　　　　　嵌合穴
９　　　　　　　　　　　　　電極導体
１０、１０ａ、１０ｂ　　　　電極導体
【図１】
2004022376.tif 000003
【図２】
2004022376.tif 000004
【図３】
2004022376.tif 000005
【図４】
2004022376.tif 000006